(57)【特許請求の範囲】
【請求項１】
コネクタハウジングには、端子金具を挿入可能なキャビティと、キャビティの内側面に設けられるとともに挿入される端子金具に対して弾性的に係止可能なランスとが設けられているコネクタにおいて、
前記ランスは、両端部が支持された両持ち状に形成されているとともに外部から解除治具にて操作可能な操作凹部を備えており、
前記ランスの前端側が前記コネクタハウジングの前壁に連結されるとともに、前記操作凹部は、前記ランスにおける前端部を厚さ方向に貫通して二股状に分割しつつ前方へ開口する前方領域と、この前方領域の後側にて前方へ開口する溝状に形成される後方領域とから構成され、このうち前方領域が前記解除治具を遊挿状態で受け入れ可能な導入口を構成していることを特徴とするコネクタ。
【請求項２】
前記導入口の奥側口縁には、前記解除治具を前記操作凹部の奥方へと誘い込む案内面が設けられていることを特徴とする請求項１記載のコネクタ。
【請求項３】
前記コネクタハウジングの前壁には、外部から相手側の端子金具が前記キャビティ内へ進入するのを許容する挿通孔と、前記操作凹部とが共に開口して設けられているものにおいて、
前記解除治具が前記挿通孔に挿入される場合には、解除治具に設けられた検知部が挿通孔の孔縁に干渉されることでその挿入動作が規制されるのに対し、前記前壁には、前記解除治具が前記操作凹部に挿入される場合に前記検知部を受け入れることで解除治具の挿入動作を許容する受け部が設けられていることを特徴とする請求項１または請求項２記載のコネクタ。
【発明の詳細な説明】
【０００１】
【発明の属する技術分野】
本発明は、ランスを備えたコネクタに関する。
【０００２】
【従来の技術】
従来、端子金具の抜け止めを図るためのランスを備えたコネクタとして特開平６−３２５８１４号公報に記載されたものが知られている。このものは、図１６に示すように、コネクタハウジング１内に後方から端子金具２を挿入可能なキャビティ３が設けられるとともに、キャビティ３の上面からは、挿入される端子金具２に押圧されることで一旦上方の撓み許容空間４へ弾性変形され、端子金具２が正規深さまで挿入されると復帰して端子金具２に弾性的に係止されるランス５が設けられている。このランス５は、前方へ突出する片持ち状のアーム部６を有するとともに、アーム部６の内面にキャビティ３内に突出して端子金具２に係止される係止部７を備え、さらにアーム部６の先端から解除操作用の突部８を前方へ突出させた構成となっている。
【０００３】
【発明が解決しようとする課題】
ところで、上記したコネクタを小型化するよう要請があった場合には、例えばランス５のアーム部６の厚み寸法を小さくすることが考えられる。しかしながら、アーム部６は片持ち状であるため、必要な強度を得るには所定の厚み寸法を確保しなければならない。従って、アーム部６の薄肉化によってコネクタの小型化を図るには限界があった。
本発明は上記のような事情に基づいて完成されたものであって、コネクタの小型化を図ることを目的とする。
【０００４】
【課題を解決するための手段】
上記の目的を達成するための手段として、請求項１の発明は、コネクタハウジングには、端子金具を挿入可能なキャビティと、キャビティの内側面に設けられるとともに挿入される端子金具に対して弾性的に係止可能なランスとが設けられているコネクタにおいて、前記ランスは、両端部が支持された両持ち状に形成されているとともに外部から解除治具にて操作可能な操作凹部を備えており、前記ランスの前端側が前記コネクタハウジングの前壁に連結されるとともに、前記操作凹部は、前記ランスにおける前端部を厚さ方向に貫通して二股状に分割しつつ前方へ開口する前方領域と、この前方領域の後側にて前方へ開口する溝状に形成される後方領域とから構成され、このうち前方領域が前記解除治具を遊挿状態で受け入れ可能な導入口を構成しているところに特徴を有する。
【０００５】
請求項２の発明は、請求項１に記載のものにおいて、前記導入口の奥側口縁には、前記解除治具を前記操作凹部の奥方へと誘い込む案内面が設けられているところに特徴を有する。
【０００６】
請求項３の発明は、請求項１または請求項２に記載のものにおいて、前記コネクタハウジングの前壁には、外部から相手側の端子金具が前記キャビティ内へ進入するのを許容する挿通孔と、前記操作凹部とが共に開口して設けられているものにおいて、前記解除治具が前記挿通孔に挿入される場合には、解除治具に設けられた検知部が挿通孔の孔縁に干渉されることでその挿入動作が規制されるのに対し、前記前壁には、前記解除治具が前記操作凹部に挿入される場合に前記検知部を受け入れることで解除治具の挿入動作を許容する受け部が設けられているところに特徴を有する。
【０００８】
【発明の作用及び効果】
＜請求項１の発明＞
キャビティ内に端子金具を挿入すると、端子金具によってランスが一旦弾性変形され、端子金具が正規深さに達すると、ランスが弾性復帰して端子金具に対して弾性的に係止される。一方、端子金具を取り外す際には、外部から解除治具によって操作凹部の周縁を押圧操作することで、ランスを強制的に弾性変形させて端子金具との係止状態を解除しつつ端子金具をキャビティから引き抜くようにする。
ランスを両持ち状にしたから、従来の片持ち状のものと比べると、厚みを薄くしても強度を高く保つことができ、もってランスの強度を損なうことなくコネクタの小型化を図ることができる。さらには、操作凹部はランスを凹ませることで設けてあるから、例えばランスから突出する形態で操作部を設けた場合と比較して、一層のコネクタの小型化に寄与することができる。
解除治具によりランスを操作する際は、まず解除治具を導入口に挿入してから、操作凹部の奥方へと突っ込みつつその周縁を押圧して行う。解除治具を操作凹部へ挿入する初期段階では、解除治具が導入口に遊挿されるので、その作業性に優れる。
しかも導入口を設けるにあたっては、ランスを二股状に分割するようにしたから、導入口の開口領域をランスの厚さに対して最大限確保することができる。
【０００９】
＜請求項２の発明＞
解除治具を導入口から操作凹部の奥方へと挿入する過程では、解除治具が案内面により誘い込まれることで、操作凹部の周縁を確実に押圧することができるので、作業性が良好となる。
【００１０】
＜請求項３の発明＞
解除治具を操作凹部に挿入する際には、検知部が受け部に受け入れられることでその挿入動作が許容される。一方、誤って解除治具を挿通孔内に挿入しようとした場合には、検知部が挿通孔の孔縁に干渉することで、挿入動作が規制されるので、誤挿入を検知することができる。これにより、解除治具による端子金具の取り外し作業性を向上させることができる。
【００１１】
【発明の実施の形態】
本発明の一実施形態を図１ないし図１５によって説明する。この実施形態に示すコネクタは、コネクタハウジング２０（以下、単にハウジング２０という）と、その内部に収容される端子金具１０と、端子金具１０を抜け止めするリテーナ４０とを備えている。なお、以下ではハウジング２０に対する端子金具１０の挿入方向を前方とし、上下方向の記載は図３及び図６を除く各図を基準とする。
【００１２】
端子金具１０は、図５に示すように、金属板をプレス加工することで所定の形状に成形されており、前側から順に相手雄端子に導通接続可能な本体部１１と、電線（図示せず）を圧接接続可能な圧接部１２と、電線をかしめ付けて保持可能なバレル部１３とを備えている。本体部１１は、図４に示すように、全体が前後に開口する箱形とされていて、前後に延出する基壁１１ａの両側縁から立ち上がる一対の側壁１１ｂの突出端から突設した一対の突片１１ｃ，１１ｄを屈曲して上下に重ね合わせることで形成されている。両突片１１ｃ，１１ｄのうち外側の突片１１ｃは、図５に示すように、中央部分が所定長さにわたって切欠されることでランス２８を逃がすための逃がし部１４が形成されており、この逃がし部１４の前面がランス２８が係止可能な被係止部１５とされている。また内側の突片１１ｄの後部を部分的に下方へ突出させることでスタビライザ１６が形成されている。本体部１１の後端下部には、リテーナ４０の係止突部４３が係止可能なあご部１７が設けられている。このあご部１７とスタビライザ１６の後面は、面一状とされている。
【００１３】
ハウジング２０は、合成樹脂製とされ、図１に示すように、全体が略ブロック状に形成されるとともに、内部には後方から端子金具１０を挿入可能なキャビティ２１が上下２段、幅方向に８室ずつ並んで設けられている。上下に隣り合うキャビティ２１同士は、仕切り壁２２によって仕切られている。この仕切り壁２２が上段側のキャビティ２１の下壁をなすとともに下段側のキャビティ２１の上壁をなしている。この仕切り壁２２と、下段側のキャビティ２１の下壁をなすハウジング２０の外壁である底壁２３とには、詳細は後述するように各キャビティ２１内に挿入される端子金具１０に弾性的に係止可能なランス２８が設けられている。各キャビティ２１の下面側縁には、図２及び図６に示すように、端子金具１０のスタビライザ１６を挿通可能な挿通溝２４が後方へ開放して設けられている。また、ハウジング２０の前壁２５には、図１及び図５に示すように、前方から相手雄端子が各キャビティ２１内に進入するのを許容する挿通孔２６が設けられている。
【００１４】
ハウジング２０の下面には、図３及び図５に示すように、下方からリテーナ４０を取付可能なリテーナ取付孔２７が開口して設けられている。リテーナ取付孔２７は、ハウジング２０の前後方向の略中央位置に配されるとともに、全キャビティ２１に連通して形成されることで、仕切り壁２２及び底壁２３を前後に分断している。リテーナ４０は、図１に示すように、ハウジング２０の各キャビティ２１の側壁に対応する位置にそれぞれ隔壁４２を備えた格子状の本体部４１を有し、この本体部４１のうち左右の隔壁４２の中間位置には、それぞれ端子金具１０のあご部１７に係止可能な係止突部４３が上方へ突出して設けられている。各係止突部４３の図１の右隣りには、ハウジング２０の挿通溝２４に連通されることでスタビライザ１６の挿通を許容する挿通凹部４４がそれぞれ設けられている。ハウジング２０に対してこのリテーナ４０は、挿通凹部４４が挿通溝２４に整合すると共に係止突部４３がキャビティ２１から退避することでキャビティ２１内への端子金具１０の挿抜が許容される仮係止位置（図５）と、係止突部４３がキャビティ２１内に突入してあご部１７に係止される本係止位置（図９）との２位置に所定の保持手段によって保持可能とされ、２位置間を上下に移動されるようになっている。
【００１５】
さて、ランス２８は、図５に示すように、各キャビティ２１の下面側にそれぞれ設けられており、仕切り壁２２及び底壁２３のうちリテーナ取付孔２７よりも前側部分を所定形状に切欠することで形成されている。このランス２８は、大まかには、前後両端部が支持された両持ち状のアーム部２９を備え、そのアーム部２９の上面に端子金具１０の被係止部１５に係止可能な係止部３０を備えている。
【００１６】
アーム部２９は、図６に示すように、前後方向に沿って延出するとともに後端側が仕切り壁２２（底壁２３）における挿通溝２４の直前位置に連結され、前端側が前壁２５に連結される両持ちの梁状に形成されることで高い強度が得られている。このアーム部２９は、キャビティ２１の幅寸法より僅かに小さい幅寸法を有している。このアーム部２９は、前後両端の連結部分を撓み支点として弾性変形可能とされ、その真下に配された撓み許容空間３１内に退避されるようになっている。撓み変形時にアーム部２９は、図７に示すように、前後方向の略中央部分が最下端となる略弓形をなし、撓み変形に伴う各部位の変位軌跡は、上下方向に沿う略直線的なものとなっている。
【００１７】
係止部３０は、図５に示すように、アーム部２９の上面からキャビティ２１内に張り出して形成され、その高さ寸法は、端子金具１０の被係止部１５のほぼ全高にわたって係止される大きさに設定されている。この係止部３０は、図６に示すように、アーム部２９の幅方向の中央位置に配されるとともに、アーム部２９の後端位置から前後方向の略中央位置に至る長さ寸法に形成されている。係止部３０の前面は、端子金具１０の被係止部１５に係止可能とされ、端子金具１０の挿入方向と直交する切り立った端面とされている。係止部３０の後面は、キャビティ２１内に挿入される端子金具１０に押圧されることでアーム部２９が撓み変形するよう案内可能なテーパ面とされている。端子金具１０の押圧によってアーム部２９が撓み変形されると、図７に示すように、係止部３０の上端がキャビティ２１の下面とほぼ同じ高さ位置まで変位するとともに、アーム部２９の前後方向の略中央部分が係止部３０の高さ寸法分だけ撓み許容空間３１内に退避される。撓み許容空間３１の大きさは、係止部３０の高さ寸法よりもやや大きく設定されることで、上段側のランス２８のアーム部２９が下方のキャビティ２１に進入しないよう、下段側のランス２８のアーム部２９がハウジング２０の下面から下方へ突出しないようになっている。
【００１８】
アーム部２９の幅方向中央位置には、図５及び図６に示すように、係止部３０の前面位置から前方へ開放する操作凹部３２が設けられ、この操作凹部３２には、前方外部から解除治具５０の軸部５２が挿入可能とされている。解除治具５０は、図１１に示すように、作業者が把持するための把持部５１から前方へ断面四角形の棒状の軸部５２が突設されるとともにその先細り状となった軸部５２の先端側の周面には、詳細は後述する検知部５３が突設されている。
【００１９】
操作凹部３２は、前後で２段階の高さに形成されており、係止部３０の前面位置からキャビティ２１の前面位置（前壁２５の後面位置）までの後方領域３２ａがアーム部２９の厚み寸法の約１／３強の深さの溝状に形成され、それよりも前方領域３２ｂがアーム部２９を二股状に分割するよう形成されている。従って、図１に示すように、アーム部２９の前端部のうち操作凹部３２を挟んだ幅方向両側部がそれぞれ前壁２５と連結されている。操作凹部３２のうち前方領域３２ｂは、アーム部２９の全高にわたる高さ寸法（軸部５２の太さの２倍程度の大きさ）を有しているので、解除治具５０の軸部５２を遊挿状態で受け入れ可能とされている。解除治具５０の軸部５２を操作凹部３２の後方領域３２ａまで挿入しつつ、その周面を下方へ押圧操作することでランス２８を強制的に撓み変形させることができるようになっている。操作凹部３２の前後の領域３２ａ，３２ｂの間に位置する段部（アーム部２９の幅方向中央前端部）には、解除治具５０の奥方への挿入を案内できるよう後上がり勾配のテーパ状の案内面３３が形成されている。また操作凹部３２は、前壁２５の挿通孔２６の真下位置に配され、その開口面積が挿通孔２６よりも小さくなっている。
なお、上記した操作凹部３２の前方領域３２ｂが特許請求の範囲に記載した導入口に相当し、前方領域３２ｂと後方領域３２ａとの間の段部が特許請求の範囲に記載した導入口の奥側口縁に相当している。
【００２０】
このようにアーム部２９の幅方向中央位置には、図６に示すように、係止部３０及び操作凹部３２が設けられているのに対し、アーム部２９の幅方向両側部の上面がキャビティ２１の下面をなしており、キャビティ２１内に挿入される端子金具１０を下支えできるようになっている。
【００２１】
ところで、上記したランス２８を設けることでハウジング２０の前壁２５に形成された切欠部分には、図１に示すように、解除治具５０に設けられた検知部５３を受け入れ可能な受け部３４が設けられている（図１３参照）。受け部３４は、アーム部２９のうち二股状の前端部の外側（キャビティ２１とは反対側）を取り囲むような略チャンネル型に形成され、解除治具５０の検知部５３にほぼ整合するような形状とされている。また上段側のランス２８に対応する受け部３４の周面のうち、下部両側縁には、挿入される検知部５３を下支え可能な支持部３５が一対形成されている。
【００２２】
検知部５３は、図１１に示すように、軸部５２のうち、先端から所定寸法奥まった位置の図示下面から突出するとともに軸部５２の軸線方向と直交する幅方向に沿って左右に延出する延出部５３ａと、その延出部５３ａの両端から上方へ突出する一対の突部５３ｂとから構成されている。検知部５３は、その前端位置が軸部５２の前端位置に対して、前壁２５の厚み寸法より僅かに短い距離だけ奥まった位置に設定されるとともに、その外幅寸法が挿通孔２６の開口幅よりも十分に大きくなるよう設定されている。これにより、軸部５２を挿通孔２６に挿入しようとした場合には、検知部５３が挿通孔２６の孔縁前部に確実に干渉されるようになっている（図１４及び図１５参照）。
【００２３】
本実施形態は以上のような構造であり、続いてその作用について説明する。図５に示すように、ハウジング２０に対してリテーナ４０を仮係止位置に装着した状態で、各キャビティ２１内に後方から端子金具１０を挿入すると、スタビライザ１６が挿通溝２４または挿通凹部４４に摺接されることでその挿入動作が円滑に案内される。端子金具１０が所定深さまで挿入されると、本体部１１の前端下部がランス２８の係止部３０の後面に係合され、図７に示すように、さらなる挿入の進行に伴って係止部３０のテーパによって案内されつつアーム部２９が下方へ撓み変形されて撓み許容空間３１内に退避される。このときランス２８は、前後両端の連結部分を支点として略弓形に変形しており、最も大きく変位するランス２８の前後方向略中央部分の変位量が係止部３０の高さ寸法とほぼ同じ大きさとされている。この撓み過程におけるランス２８の各部位の変位軌跡は、上下方向に沿った略直線的なものとなっている。
【００２４】
そして、端子金具１０が正規深さまで挿入されると、図８に示すように、本体部１１の逃がし部１４に係止部３０が進入しつつアーム部２９が弾性復帰されるとともに係止部３０の前面が被係止部１５に係止される。これにより端子金具１０の一次係止が図られる。このとき、端子金具１０の本体部１１は、ほぼ全長にわたってキャビティ２１の下壁及びランス２８のアーム部２９の幅方向両側部によりしっかりと支持されている。
【００２５】
全ての端子金具１０がキャビティ２１内に挿入されたら、リテーナ４０を仮係止位置から本係止位置へ押し込む。すると、図９に示すように、リテーナ４０の係止突部４３が本体部１１のあご部１７に係止されることで端子金具１０の二次係止が完了する。もってハウジング２０から端子金具１０が抜け止め状態に保持される。
【００２６】
一方、メンテナンスなどの事情によりハウジング２０から端子金具１０を取り外す場合がある。その場合は、図１０に示すように、リテーナ４０を仮係止位置へ戻すとともに、ハウジング２０の前方から解除治具５０の軸部５２をランス２８に設けた操作凹部３２内に挿入する。この解除治具５０の挿入過程では、まず軸部５２の先端部分を操作凹部３２の前方領域３２ｂに遊挿した後、奥方の後方領域３２ａへ向けて突っ込むと、軸部５２は案内面３３に摺接されることで端子金具１０とランス２８との間に円滑に誘い込まれる。このとき、図１３に示すように、検知部５３が受け部３４内に進入されることで、軸部５２の奥方への挿入動作が許容されている。軸部５２の先端部分が操作凹部３２の後方領域３２ａの所定深さ奥位置まで達したところで、図１２に示すように、解除治具５０を上方へこじり操作して後方領域３２ａの周縁を下方へ押圧することで、ランス２８のアーム部２９が強制的に弾性変形される。そして、係止部３０と被係止部１５との係止状態が解除されたら、端子金具１０をキャビティ２１内から引き抜くようにする。
【００２７】
ところで、解除治具５０の挿入作業を行う際、ハウジング２０の前壁２５には操作凹部３２の真上に挿通孔２６が配されているため、作業者が誤って軸部５２を挿通孔２６に挿入してしまうことがあり得る。その場合には、図１４に示すように、軸部５２が挿通孔２６内に所定深さまで挿入された時点で、図１５に示すように、検知部５３が挿通孔２６の孔縁前部に突き当たることにより、軸部５２のそれ以上の挿入動作が規制される。このとき、軸部５２の先端は、挿通孔２６内に留められてキャビティ２１内には到達していないから、軸部５２が端子金具１０に干渉することがない。そして、解除治具５０の挿入動作が規制されたことをもって、解除治具５０を誤挿入したことが作業者に検知される。
【００２８】
以上説明したように本実施形態によれば、ランス２８を前後両端部支持される両持ち状としたから、従来の片持ち状のものと比べると、厚みを薄くしても強度を高く保つことができ、もってランス２８の強度を損なうことなくコネクタの小型化を図ることができる。しかも、ランス２８を凹ませることで操作凹部３２を設けているから、例えばランス２８から突出する形態で操作部分を設けた場合と比較して、コネクタの小型化に寄与することができる。
【００２９】
また、操作凹部３２の前方領域３２ｂに対して解除治具５０の軸部５２が遊挿されるから、解除治具５０の挿入初期段階での作業性に優れる。そして、操作凹部３２の前方領域３２ｂに挿入した軸部５２を後方領域３２ａへと挿入する過程では、軸部５２が案内面３３によって円滑に奥方へと誘い込まれ、後方領域３２ａの周縁を確実に押圧することができるから、作業性が良好となる。しかも、操作凹部３２の前方領域３２ｂを設けるにあたっては、ランス２８を二股状に分割するようにしたから、その開口領域をランス２８の厚さに対して最大限確保することができ、解除治具５０の軸部５２を一層受け入れやすくなっている。
【００３０】
さらには、解除治具５０に検知部５３を設けると共にハウジング２０に検知部５３を受け入れ可能な受け部３４を設けるようにしたから、解除治具５０の軸部５２を操作凹部３２に挿入したときには解除治具５０の奥方への挿入動作を許容するのに対し、軸部５２を挿通孔２６に挿入した場合には検知部５３が挿通孔２６の孔縁前部に突き当たることで、その挿入動作を規制し、解除治具５０の誤挿入を検知することができる。従って、解除治具５０による端子金具１０の取り外し作業性を向上させることができる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、キャビティの下面側にランスが配されるものを示したが、例えばキャビティの上面側や側面側に配されるものも本発明に含まれる。
【００３２】
（２）上記した実施形態では、検知部の外幅寸法を挿通孔の開口幅よりも大きく設定することで、検知部が挿通孔の孔縁に干渉するようにした場合を示したが、例えば両者の大きさが同じであっても形状が互いに整合しない設定とすることで検知部が挿通孔の孔縁に干渉するようにしてもよく、そのようなものも本発明に含まれる。
【００３３】
（３）上記した実施形態では、上下２段のキャビティを有するコネクタについて示したが、上下３段以上のキャビティを有するものやキャビティが１段のみのものも本発明に含まれる。
（４）上記した実施形態では、圧接タイプの端子金具を有する雌側のコネクタについて示したが、端子金具の種類は電線の芯線を圧着するタイプのものでもよく、また雄側のコネクタについても本発明を適用可能である。
【図面の簡単な説明】
【図１】本発明の一実施形態に係るハウジングとリテーナの正面図
【図２】ハウジングの背面図
【図３】ハウジングの底面図
【図４】端子金具の正面図
【図５】リテーナを仮係止位置に組み付けたハウジングと端子金具の側断面図
【図６】ハウジングの平断面図
【図７】端子金具を挿入する途中の状態を示す側断面図
【図８】端子金具が正規深さまで挿入された状態を示す側断面図
【図９】リテーナを本係止位置に移動させた状態を示す側断面図
【図１０】リテーナを仮係止位置に移動させて、解除治具を挿入する前の状態を示す側断面図
【図１１】解除治具の拡大斜視図
【図１２】解除治具によってランスを撓ませている状態を示す側断面図
【図１３】検知部が受け部内に進入した状態を示す拡大正面図
【図１４】解除治具の軸部を挿通孔内に挿入した状態を示す側断面図
【図１５】検知部が挿通孔の孔縁に突き当たった状態を示す拡大正面図
【図１６】従来例の側断面図
【符号の説明】
１０…端子金具
２０…ハウジング（コネクタハウジング）
２１…キャビティ
２５…前壁
２６…挿通孔
２８…ランス
３２…操作凹部
３２ｂ…前方領域（導入口）
３３…案内面
３４…受け部
５０…解除治具
５３…検知部
【図１】
0003804489.tif 000002
【図２】
0003804489.tif 000003
【図３】
0003804489.tif 000004
【図４】
0003804489.tif 000005
【図５】
0003804489.tif 000006
【図６】
0003804489.tif 000007
【図７】
0003804489.tif 000008
【図８】
0003804489.tif 000009
【図９】
0003804489.tif 000010
【図１０】
0003804489.tif 000011
【図１１】
0003804489.tif 000012
【図１２】
0003804489.tif 000013
【図１３】
0003804489.tif 000014
【図１４】
0003804489.tif 000015
【図１５】
0003804489.tif 000016
【図１６】
0003804489.tif 000017